(57)【要約】【課題】水上振り込み時には嵌合枠体と中子体との嵌合状態が保たれ、釣竿を引く合せ時には嵌合枠体と中子体との嵌合状態が解除される釣具仕掛けを提供すること。【解決手段】釣糸１４を通す釣糸穴が規定された中子体２と、この中子体２が着脱自在に取り付けられる嵌合枠体４とを備え、釣糸１４の中子体２を通る一端側が釣竿に接続され、釣糸１４の嵌合枠体４を通る他端側が釣針に接続される釣具仕掛け。中子体２と嵌合枠体４とを嵌合状態に保持する嵌合保持力は、生身餌を水上振り込みする時に嵌合枠体４に作用する振り込み負荷よりも大きく、且つ釣竿により加えられる合せ力よりも小さくなるように設定される。【選択図】      図１
2004337147.tif 000002
【特許請求の範囲】
【請求項１】
釣糸を通す釣糸穴が規定された中子体と、この中子体に着脱自在に取り付けられる嵌合枠体とを備え、前記釣糸の前記中子体を通る一端側が釣竿に接続され、前記釣糸の前記嵌合枠体を通る他端側が釣針に接続される釣具仕掛けであって、
前記中子体と前記嵌合枠体とを嵌合状態に保持する嵌合保持力は、生身餌を水上振り込みする時に前記嵌合枠体に作用する振込み負荷よりも大きく、且つ釣竿により加えられる合せ力よりも小さくなるように設定されており、かくして、釣竿を引いて合せ力を加えると、前記中子体と前記嵌合枠体との嵌合状態が解除されることを特徴とする釣具仕掛け。
【請求項２】
前記中子体は前記釣糸にスリップ移動可能に取り付けられ、前記中子体と前記釣糸との間の摩擦保持力は、前記嵌合枠体と前記中子体との嵌合状態が解除される嵌合解除力よりも大きくなるように設定されている請求項１に記載の釣具仕掛け。
【請求項３】
前記中子体の外周面には、前記中子体を前記嵌合枠体に嵌合したときにその一端に当接する位置決め突部が設けられている請求項１又は２に記載の釣具仕掛け。
【請求項４】
前記嵌合枠体は、保持管と前記保持管に装着された鍔短管とから構成され、前記鍔短管の一端が位置決め突部として機能し、前記中子体を前記嵌合枠体に嵌合させたときに前記中子体の基部が前記鍔短管の一端に当接する請求項１又は２に記載の釣具仕掛け。
【請求項５】
前記中子体は細い中空筒状の中子本体を有し、前記中子本体の一端部に小内径部が設けられており、また前記釣糸には弾性粒及び／又は撚糸粒と押圧粒とが装着されており、前記押圧粒により前記弾性粒及び／又は撚糸粒を前記小内径部に押圧することによって、前記中子体が前記釣糸に取り付けられる請求項１〜４のいずれかに記載の釣具仕掛け。
【請求項６】
前記中子体は細長い中空筒状の中子本体を有し、前記中子本体の一端部に小内径部を規定する小径短管が装着されその他端部に挿入短管が装着されており、また前記釣糸には弾性粒及び／又は撚糸粒が装着されており、前記小径短管を前記中子本体に装着する際に、前記小径短管により前記弾性粒及び／又は撚糸粒を前記挿入短管に押圧することによって、前記中子体が前記釣糸に取り付けられる請求項１〜４のいずれかに記載の釣具仕掛け。
【請求項７】
釣針の心軸を通す穴が規定された中子体と、この中子体に着脱自在に取り付けられる嵌合枠体とを備え、前記心軸の前記中子体を通る一端側が釣糸を介して釣竿に接続される釣具仕掛けであって、
前記中子体と前記嵌合枠体とを嵌合状態に保持する嵌合保持力は、生身餌を水上振り込みする時に前記嵌合枠体に作用する振込み負荷よりも大きく、且つ釣竿により加えられる合せ力よりも小さくなるように設定されており、かくして、釣竿を引いて合せ力を加えると、前記中子体と前記嵌合枠体との嵌合状態が解除されることを特徴とする釣具仕掛け。
【請求項８】
前記中子体は前記釣針の前記心軸にスリップ移動可能に取り付けられ、前記中子体と前記釣糸との間の摩擦保持力は、前記嵌合枠体と前記中子体との嵌合状態が解除される嵌合解除力よりも大きくなるように設定されている請求項７に記載の釣具仕掛け。
【請求項９】
針部と、この針部から延びる心軸と、前記心軸の先端部に設けられた接続部とを有し、釣糸が前記接続部に接続される釣針であって、
前記接続部は、弾性を有する単一針金から形成され、この単一針金を二分して折り曲げることによって、一端部に前記釣糸に接続される頂部環が設けられており、前記心軸の先端部は前記接続部の他端部の一対の自由端部間に挟持され、この心軸の先端部と前記接続部の他端部とが固着されることを特徴とする釣針。
【請求項１０】
針部と、この針部から延びる接続部とを有し、釣糸が前記接続部に接続される釣針であって、
前記接続部は、弾性を有する単一針金から形成され、この単一針金を二分して折り曲げることによって、一端部に前記釣糸に接続される頂部環が設けられており、前記針部は前記接続部の一対の自由端部に固着されることを特徴とする釣針。
【発明の詳細な説明】
【０００１】
【発明の属する技術分野】
本発明は、イカ釣りなどに用いる釣具仕掛け及び釣針に関する。
【０００２】
【従来の技術】
イカ釣りに用いる釣具仕掛けとして種々のものが提案されており、例えば釣糸に装着された係止部材と、この釣糸に移動自在に装着され、係止部材に着脱自在に係合される摺動部材とを備えたものが提案されている（例えば、特許文献１参照）。この仕掛けでは、釣糸の下端部に釣針が取り付けられ、また摺動部材に餌用釣針が取り付けられ、この餌用釣針に生身餌が付けられる。このような釣具仕掛けでは、イカなどの釣魚が生身餌に食い付くと、釣魚の引きによって係止部材と摺動部材との係合が解除され、摺動部材が釣糸に沿って釣針に向けて摺動し、かく摺動して摺動部材の下端部が釣針の心軸に衝突することによって、釣針の針部が生身餌に食い付いた釣魚に針掛かりするようになる。
【０００３】
また、他の釣具仕掛けとして、例えば釣糸に装着された掛具と、この釣糸に移動自在に装着され、掛具の突起部に保持されるリング状移動体と、を備えたものが提案されている（例えば、特許文献２参照）。この仕掛けでは、釣糸の下端部に釣針が取り付けられ、また移動体に餌用釣針が取り付けられ、この餌用釣針に生身餌が付けられる。このような釣具仕掛けでは、イカなどの釣魚が生身餌に食い付いたときに釣竿を引くと、このときの合せ力によって移動体が掛具の突起部から外れ、移動体が釣糸に沿って相対的に釣針に向けて移動し、かく移動して移動体が釣針の心軸に衝突することによって、釣針の針部が生身餌に食い付いた釣魚に針掛かりするようになる。
【０００４】
【特許文献１】
特開平１１−１６９０３９号公報
【特許文献２】
特開平１０−２９５２２４号公報
【０００５】
【発明が解決しようとする課題】
特許文献１に開示された釣具仕掛けでは、係止部材と摺動部材との係合解除がどの程度の大きさの力で行われるかが明確でなく、この係合状態の解除力が小さいと、仕掛けの水上振り込み時点（即ち、生身餌を餌用釣針に付けて投げ込む時）に、生身餌の遠心力によって、係止部材と摺動部材との係合状態が解除され、それ故に、この水上振り込み時点で摺動部材が釣糸に沿って摺動して釣針の針部に生身餌が針掛かりし、釣魚（例えば、イカ）を釣る前に生身餌を釣ってしまうことになる。一方、この係合状態の解除力が大きいと、釣魚の引きによっても係止部材と摺動部材との係合状態が解除されず、釣魚を釣針の針部に針掛かりすることができなくなる。
【０００６】
また、特許文献２に開示された釣具仕掛けでも、上述したと同様の問題がある。即ち、この特許文献２においても、リング状移動体がどの程度の解除力で掛具の突起部から外れるかが明確でなく、この解除力が小さいと、仕掛けの水上振り込み時に移動体が掛具の突起部から外れて生身餌釣りになってしまう一方、この解除力が大きいと、生身餌に食い付いたときに釣竿を引いても移動体が掛具の突起部から外れず、釣魚を釣ることができなくなる。このとき、移動体を掛具の突起部から外そうとして更に大きい合せ力を加えると、釣竿や釣糸に大きな負荷が作用し、釣糸が切れたり、釣竿が折れたりする原因となる。
【０００７】
本発明の目的は、水上振り込み時には嵌合枠体と中子体との嵌合状態が保たれ、釣竿を引く合せ時には嵌合枠体と中子体との嵌合状態が解除される釣具仕掛けを提供することである。
【０００８】
本発明の他の目的は、嵌合枠体と中子体を備えた釣具仕掛けを用いて釣るときに好都合に適用することができる釣針を提供することである。
【０００９】
【課題を解決するための手段】
本発明の請求項１に記載の釣具仕掛けは、釣糸を通す釣糸穴が規定された中子体と、この中子体に着脱自在に取り付けられる嵌合枠体とを備え、前記釣糸の前記中子体を通る一端側が釣竿に接続され、前記釣糸の前記嵌合枠体を通る他端側が釣針に接続される釣具仕掛けであって、
前記中子体と前記嵌合枠体とを嵌合状態に保持する嵌合保持力は、生身餌を水上振り込みする時に前記嵌合枠体に作用する振込み負荷よりも大きく、且つ釣竿により加えられる合せ力よりも小さくなるように設定されており、かくして、釣竿を引いて合せ力を加えると、前記中子体と前記嵌合枠体との嵌合状態が解除されることを特徴とする。
【００１０】
この釣具用仕掛けにおいては、釣糸は中子体の釣糸穴を通して導かれ、この釣糸の一端側が釣竿に接続され、その他端側が嵌合枠体を通して釣針に接続され、中子体と嵌合枠体とは着脱自在に嵌合される。そして、中子体と嵌合枠体との嵌合保持力が生身餌を水上振り込みする時の振り込み負荷よりも大きく設定されるので、生身餌を付けて水上振り込みしても中子体と嵌合枠体との嵌合状態が外れず、これによって、生身餌が釣針に掛かるのを確実に防止することができる。また、この嵌合保持力は釣竿により加えられる合せ力よりも小さく設定されるので、釣魚、例えばイカが生身餌に食い付いたときに釣竿を引くと、釣魚自体の重量及びこの釣魚の水中での抵抗によって、中子体と嵌合枠体との嵌合状態が解除され、中子体及び釣針が嵌合枠体に対して相対的に急上昇し、かくして、食い付いた釣魚を瞬間的に釣針にかけることができる。
【００１１】
この中子体は、手指で力を加えてスリップ移動させることができるように釣糸に取り付けるようにしてもよく、或いは釣糸に固定的に取り付けるようにしてもよい。また、生身餌（例えば活魚）は、例えば、次のようにして取り付けることができる。中子体よりも上側の釣糸に移動リングを中通し、この移動リングに短い釣糸を介して餌用釣針を取り付け、この餌用釣針に生身餌を付けるようにすることができ、この場合、生身餌に釣魚が食い付くと、移動リングは釣糸に沿って移動して嵌合枠体に係合するようになる。
【００１２】
また、本発明の請求項２に記載の釣具仕掛けでは、前記中子体は前記釣糸にスリップ移動可能に取り付けられ、前記中子体と前記釣糸との間の摩擦保持力は、前記嵌合枠体と前記中子体との嵌合状態が解除される嵌合解除力よりも大きくなるように設定されていることを特徴とする。
【００１３】
この釣具仕掛けにおいては、中子体が手指の力でもってスリップ移動可能に釣糸に取り付けられているので、手指で力を加えることによって、釣糸に対して中子体を移動させ、中子体の位置、換言すると、釣針に対する嵌合枠体の位置を調整することができる。また、中子体と釣糸との間の摩擦保持力が嵌合枠体と中子体との嵌合解除力よりも大きく設定されているので、釣竿を引いて合せ力を加えると、中子体と嵌合枠体との嵌合状態が解除されるが、このとき、中子体が釣糸に対して相対的に移動することがなく、中子体は取り付けた位置に保持される。
【００１４】
また、本発明の請求項３に記載の釣具仕掛けでは、前記中子体の外周面には、前記中子体を前記嵌合枠体に嵌合したときにその一端に当接する位置決め突部が設けられていることを特徴とする。
【００１５】
この釣具仕掛けにおいては、中子体の外周面に位置決め突部が設けられているので、中子体を嵌合枠体に嵌合する際に、中子体の位置決め突部を嵌合枠体の一端に当接させればよく、かく当接させて位置決めすることによって、中子体と嵌合枠体との嵌合状態を一定に保つことができ、これによって、中子体及び嵌合枠体の嵌合状態を解除するための嵌合解除力をほぼ一定にすることができる。尚、この位置決め突部は、例えば、中子体の外周面に環状に設けることができる。
【００１６】
また、本発明の請求項４に記載の釣具仕掛けでは、前記嵌合枠体は、保持管と前記保持管に装着された鍔短管とから構成され、前記鍔短管の一端が位置決め突部として機能し、前記中子体を前記嵌合枠体に嵌合させたときに前記中子体の基部が前記鍔短管の一端に当接することを特徴する。
【００１７】
この釣具仕掛けにおいては、嵌合枠体は保持管及びこれに装着された鍔短管から構成され、鍔短管の一端が位置決め突部として機能するので、中子体を嵌合枠体に嵌合する際に、中子体を鍔短管の一端に当接するように嵌合させればよく、このように当接させて位置決めすることによって、中子体と嵌合枠体との嵌合状態を一定に保つことができ、このようにしても、中子体及び嵌合枠体の嵌合状態を解除するための嵌合解除力をほぼ一定にすることができる。
【００１８】
また、本発明の請求項５に記載の釣具仕掛けでは、前記中子体は細い中空筒状の中子本体を有し、前記中子本体の一端部に小内径部が設けられており、また前記釣糸には弾性粒及び／又は撚糸粒と押圧粒とが装着されており、前記押圧粒により前記弾性粒及び／又は撚糸粒を前記小内径部に押圧することによって、前記中子体が前記釣糸に取り付けられることを特徴とする。
【００１９】
この釣具仕掛けにおいては、釣糸に弾性粒及び／又は撚糸粒と押圧粒とが装着され、弾性粒及び／又は撚糸粒を中子本体内に挿入して押圧粒により小内径部に押圧することによって、中子体が釣糸に取り付けられるので、中子体と釣糸との間の摩擦保持力を充分なものとすることができ、この摩擦保持力を嵌合枠体と中子体との嵌合解除力よりも大きくすることができる。弾性粒は１個又は２個以上設けることができ、この弾性粒として、例えば汎用のウキ止めゴムの小粒を用いることができる。また、弾性粒に代えて、或いは弾性粒とともに撚糸粒１個又は２個以上設けることができ、撚糸粒としては、例えば、絹糸、綿糸、ナイロン糸などを使用することができ、また押圧粒としては、例えば、金属管、合成樹脂管、ビーズなどを使用することができる。
【００２０】
また、本発明の請求項６に記載の釣具仕掛けでは、前記中子体は細長い中空筒状の中子本体を有し、前記中子本体の一端部に小内径部を規定する小径短管が装着されその他端部に挿入短管が装着されており、また前記釣糸には弾性粒及び／又は撚糸粒が装着されており、前記小径短管を前記中子本体に装着する際に、前記小径短管により前記弾性粒及び／又は撚糸粒を前記挿入短管に押圧することによって、前記中子体が前記釣糸に取り付けられることを特徴とする。
【００２１】
この釣具仕掛けにおいては、中子本体の一端部に小径短管が装着され、その他端部に挿入短管が装着され、また釣糸には弾性粒及び／又は撚糸粒が装着される。この釣具仕掛けでは、中子本体の他端部に挿入短管が装着され、この状態で弾性粒及び／又は撚糸粒を中子本体内にその一端側から挿入して小径短管を中子本体に装着することによって、弾性粒及び／又は撚糸粒を挿入短管に押圧することにより、中子体が釣糸に取り付けられ、これによって、中子体と釣糸との間の摩擦保持力をより大きくて充分なものとすることができ、この摩擦保持力を嵌合枠体と中子体との嵌合解除力よりも大きくすることができる。弾性粒は１個又は２個以上設けることができ、この弾性粒に代えて、或いはこの弾性粒とともに撚糸粒を１個又は２個以上設けることができ、弾性粒及び撚糸粒の個数が多くなるほど釣糸との間の摩擦保持力が大きくなる。また、このように小径短管の装着により弾性粒及び／又は撚糸粒を押圧するので、その作業が容易となり、中子体を簡単に釣糸に取り付けることができる。
【００２２】
また、本発明の請求項７に記載の釣具仕掛けは、釣針の心軸を通す穴が規定された中子体と、この中子体に着脱自在に取り付けられる嵌合枠体とを備え、前記心軸の前記中子体を通る一端側が釣糸を介して釣竿に接続される釣具仕掛けであって、
前記中子体と前記嵌合枠体とを嵌合状態に保持する嵌合保持力は、生身餌を水上振り込みする時に前記嵌合枠体に作用する振込み負荷よりも大きく、且つ釣竿により加えられる合せ力よりも小さくなるように設定されており、かくして、釣竿を引いて合せ力を加えると、前記中子体と前記嵌合枠体との嵌合状態が解除されることを特徴とする。
【００２３】
この釣具仕掛けにおいては、釣針の心軸に中子体が取り付けられる。即ち、中子体には心軸を通す穴が設けられ、この穴を通して中子体が心軸に取り付けられる。この中子体は、心軸に固定的に取り付けてもよく、或いは手指の力により移動させることができるように取り付けてもよい。釣針の心軸は釣糸を介して釣竿に接続され、中子体に嵌合枠体が着脱自在に取り付けられる。このような形態のものにおいても、中子体と嵌合枠体との嵌合保持力は、生身餌を水上振り込みする時の振り込み負荷よりも大きく、且つ釣竿により加えられる合せ力よりも小さく設定されるので、生身餌を付けて水上振り込みする時には中子体と嵌合枠体との嵌合状態が外れることがなく、一方、釣魚が生身餌に食い付いたときに釣竿を引いて合せを行うと、釣魚自体の重量及びこの釣魚の水中での抵抗によって、中子体と嵌合枠体との嵌合状態が解除され、中子体及び釣針が嵌合枠体に対して相対的に急上昇し、食い付いた釣魚を瞬間的に釣針にかけることができる。
【００２４】
また、本発明の請求項８に記載の釣具仕掛けでは、前記中子体は前記釣針の前記心軸にスリップ移動可能に取り付けられ、前記中子体と前記釣糸との間の摩擦保持力は、前記嵌合枠体と前記中子体との嵌合状態が解除される嵌合解除力よりも大きくなるように設定されていることを特徴とする。
【００２５】
この釣具仕掛けにおいては、中子体が手指の力でもってスリップ移動可能に釣針の心軸に取り付けられているので、手指で力を加えることによって、釣針に対して中子体を移動させ、釣針に対する嵌合枠体の位置を調整することができる。また、中子体と釣針との間の摩擦保持力が嵌合枠体と中子体との嵌合解除力よりも大きく設定されているので、釣竿を引いて合せ力を加えると、中子体と嵌合枠体との嵌合状態が解除されるが、このとき、中子体が釣針に対して相対的に移動することがなく、中子体は取り付けた位置に保持される。
【００２６】
また、本発明の請求項９に記載の釣針は、針部と、この針部から延びる心軸と、前記心軸の先端部に設けられた接続部とを有し、釣糸が前記接続部に接続される釣針であって、
前記接続部は、弾性を有する単一針金から形成され、この単一針金を二分して折り曲げることによって、一端部に前記釣糸に接続される頂部環が設けられており、前記心軸の先端部は前記接続部の他端部の一対の自由端部間に挟持され、この心軸の先端部と前記接続部の他端部とが固着されることを特徴とする。
【００２７】
この釣針においては、釣糸に接続される接続部には、弾性を有する単一針金を二分して折り曲げて頂部環が設けられるので、この接続部自体に弾性を持たせることができるとともに、この頂部環を小さくすることができる。従って、この釣針と組み合わせて釣具仕掛け（中子体と嵌合枠体から構成されるもの）用いる場合に、嵌合枠体を小さくすることが可能となる。また、この接続部の他端部の一対の自由端部間に心軸を挟持して両者を固着するので、接続部と心軸とを確実に固定することできる。この接続部は、単一針金を折り曲げた後に緩くねじって撚るようにするのが好ましい。尚、両者の固着に際して、金属細線で巻締めて固定するようにしてもよい。
【００２８】
また、本発明の請求項１０に記載の釣針は、針部と、この針部から延びる接続部とを有し、釣糸が前記接続部に接続される釣針であって、
前記接続部は、弾性を有する単一針金から形成され、この単一針金を二分して折り曲げることによって、一端部に前記釣糸に接続される頂部環が設けられており、前記針部は前記接続部の一対の自由端部に固着されることを特徴とする。
【００２９】
この釣針においては、釣糸に接続される接続部には、弾性を有する単一針金を二分して折り曲げて頂部環が設けられるので、この接続部自体に弾性を持たせることができるとともに、この頂部環を小さくすることができる。また、この接続部の一対の自由端部に針部を固着するので、接続部と針部とを確実に固定することできる。この接続部は、上述したと同様に、単一針金を二分して折り曲げた後に緩くねじって撚るようにするのが好ましい。また、この場合においても、接続部の他端部と針部とを金属細線で巻締めて固着するようにしてもよい。
【００３０】
【発明の実施の形態】
以下、添付図面を参照しながら、更に詳細に説明する。
第１の実施形態の釣具仕掛け
まず、図１〜図７を参照して、第１の実施形態の釣具仕掛けについて説明する。図１は、第１の実施形態の釣具仕掛けを示す断面図であり、図２は、図１の釣具仕掛けの中子体を示す断面図であり、図３は、図２におけるＩＩＩ−ＩＩＩ線による断面図であり、図４は、図１の釣具仕掛けの嵌合枠体を示す断面図であり、図５は、図４におけるＶ−Ｖ線による断面図であり、図６は、釣糸に装着された弾性粒、撚糸粒及び押圧粒を示す図であり、図７は、図２に示す中子体に弾性粒などを挿入する際の挿入方法を説明するための図である。
【００３１】
図１において、図示の釣具仕掛けは、中子体２と、この中子体２に着脱自在に取り付けられる嵌合枠体４とから構成される。図１とともに図２及び図３を参照して、この中子体２は細い中空円筒状の中子本体６を備え、この中子本体６の一端部（図１及び図２において上側端部）に小径短管８が例えば圧入と接着剤の併用により固着されている。このように小径短管８を設けることによって、中子本体６の一端部に小内径部が設けられる。
【００３２】
中子本体６は例えば合成樹脂などから形成され、その一端部は、その外周面に研削加工を施すことによって、一端に向けてその外径がテーパ状に小さくなっている。このようにテーパ状に形成することによって、後述するように、移動リング１００（図２１及び図２２参照）が嵌合枠体４の鍔短管１８の鍔部２０（後述する）まで移動する際に、中子本体６の一端に当接することがなく、移動リング１００の移動がスムースに行われる。また、小径短管８は合成樹脂、金属などから形成される。このような中子体２では、図１に示すように、小径短管８の小孔１０（小内径部）及び中子本体６の内部空間１２を通して釣糸１４が導かれ、この小孔１０（小内径部）が釣糸穴を構成する。
【００３３】
次に、図１とともに図４及び図５を参照して嵌合枠体４について説明すると、図示の嵌合枠体４は、保持管１６と、この保持管１６の径方向内側に取り付けられた鍔短管１８とから構成されている。中子体２は、後述するように、保持管１６の一端側（図１及び図４において上側）から嵌合され、このことに関連して、鍔短管１８は保持管１６の他端部（図１及び図４において下側端部）に取り付けられる。保持管１６は径方向に拡径及び縮径可能な弾性を有する管部材から構成するのが好ましく、例えば合成ゴム管から構成される。この保持管１６の内径は鍔短管１８の一端側の外径よりも小さく、従って、鍔短管１８は保持管１６の他端側から圧入によって装着固定され（接着剤と併用して確実に固定するのが好ましい）、縮径しようとする弾性復元力によって保持管１６に保持される。鍔短管１８の筒部２２の外径は中子本体６の外径と実質上等しく、保持管１６は中子本体６をその弾性復元力によって保持する。
【００３４】
鍔短管１８の他端部には環状の鍔部２０が一体的に設けられ、かかる鍔部２０が半径方向外方に延び、鍔短管１８の装着状態において保持管１６を越えて突出している。この鍔短管１８は、鍔部２０が保持管１６の他端に当接するように取り付けられ、このように取り付けることによって、鍔短管１８を保持管１６に所定の位置関係で取り付けることができる。このような鍔短管１８は硬質の合成樹脂又は金属から形成することができ、例えば合成樹脂の一体成型によって、又は金属短管をプレス加工することによって形成される。この鍔短管１８は、市販されているブラインドリベットにおける外枠の円筒部を切断して簡易的に用いることもでき、このようなものを利用することによって、個人的に簡単に製作することが可能となる。
【００３５】
中子体２は、次の通りにして釣糸１４に取り付けられる。図１とともに図６及び図７を参照して、この実施形態では、中子体２を取り付けるに際し、釣糸１４に弾性粒２４、撚糸粒２６及び押圧粒２８が取り付けられる。弾性粒２４は例えばウキ止めゴムなどから形成され、撚糸粒２４は例えば絹糸、綿糸、ナイロン糸などから形成され、押圧粒２８は例えば金属管、合成樹脂管、ビーズなどから形成され、弾性粒２４及び押圧粒２８は釣糸１４を通して導くことによって取り付けられ、撚糸粒２６は釣糸１４を中心に巻き付けて締め付けることによって取り付けられる。撚糸粒２６については、切断した残り耳が綿毛状となるナイロン系撚糸が好ましく、釣糸１４への巻付け方法については、釣りにおいて一般的に使用する所謂「ウキ止め糸コブ作り」の方法を用いることができる。撚糸粒２６については、撚糸の径が太くなるほど、また一粒の巻付け回数が多くなるほど、使用する釣糸１４の号数が大きくなる（即ち、釣糸径が太くなる）ほど、後述する摩擦保持力（中子体２と釣糸１４との間の摩擦保持力）が大きくなる。また、弾性粒２４及び撚糸粒２６の取付個数は適宜の個数でよく、例えば弾性粒２４を１個、撚糸粒２６を２個取り付けようにすることができ、弾性粒２４及び撚糸粒２６の取付個数が多くなるほど上記摩擦保持力が大きくなる。また、弾性粒２４及び撚糸粒２６の取付順序は適宜の順序でよく、図１及び図６に示すように、弾性粒２４の次に撚糸粒２６を取り付けるようにしてもよく、これとは反対に、撚糸粒２６の次に弾性粒２４を取り付けるようにしてもよく、或いは撚糸粒２６の間に弾性粒２４を取り付けるようにしてもよい。弾性粒２４及び撚糸粒２６はいずれか一方のみを用いるようにしてもよい。
【００３６】
中子体２に弾性粒２４などを取り付けるには、図７に示すように、例えば、裁縫用のまち針３０の先端部を切断除去したものを利用し、押圧粒２８に隣接する撚糸粒２６の残り耳綿毛をわずかに押圧粒２８の外周面に被せ、中子本体６の他端開口３２から弾性粒２４、撚糸粒２６及び押圧粒２８を順次強く挿入して固定する。かく挿入すると、図１に示すように、押圧粒２８及び撚糸粒２６を介してに弾性粒２４が中子体２の小径短管８の内側端に圧接され、これら弾性粒２４、撚糸粒２６及び押圧粒２８は中子本体６に密封して内蔵される。従って、中子体２と釣糸１４との間に大きな摩擦保持力が生じ、そして弾性粒２４及び撚糸粒２６に残留した応力によってこの摩擦保持力が維持される。加えて、この摩擦保持力よりも大きな力を中子体２に手指で加えることによって、釣糸１４に対して中子体２を相対的に移動させることができる。このとき、弾性粒２４及び撚糸粒２６は弾性的に作用するので、移動させたとしても釣糸１４にカールなどが発生することがなく、また中子体２を上方に移動させたとしても、弾性粒２４及び撚糸粒２６などが中子本体６の他端開口３２から露出することがなく、更に、この中子本体６の軸線方向の長さを利用して中子体２と嵌合枠体４との嵌合を容易に行うことができる。
【００３７】
中子体の変形形態
次に、図８〜図１２を参照して、中子体の変形形態について説明する。これら変形形態の中子体は、上述した中子体２に代えて用いることができる。図８は、第１の変形形態の中子体を示す断面図であり、図９は、図８におけるＩＸ−ＩＸ線による断面図である。図８及び図９において、第１の変形形態の中子体２Ａは、細長い中空円筒状の中子本体６Ａを備え、この中子本体６Ａの一端部に弾性部材８Ａが取り付けられている。中子本体６Ａは例えば合成樹脂から形成され、その一端部に略逆円錐状の凹部４２が設けられている。この凹部４２は小さいＶ字状の砥石などで研削加工することによって形成され、略卵形状の弾性部材８Ａがこの凹部４２に接着剤により固着される。弾性部材８Ａをこのような形状にすることによって、移動リング１００（図２１及び図２２参照）の中子体２Ａを通過する移動がスムースとなる。弾性部材８Ａは、また、釣糸１４との摩擦保持力を高める作用をする。この弾性部材８Ａは、汎用のウキ止めゴムの中から適当な形状のものを選んで使用することができ、その中央部に小孔４４が設けられている。
【００３８】
釣糸１４は、次のようにして中子体２Ａを通すことができる。即ち、図２に示すように、弾性部材８Ａの頂部から外部に突出する輪状部４８に釣糸１４を通して引っ掛け、かく引っ掛けた状態でガイド糸４６を中子本体６Ａの内部空間１２を通して引き出せばよく、このようにして釣糸１４を弾性部材８Ａの小孔４４及び中子本体６Ａの内部空間１２を通して導くことができる。
図１０は、第２の変形形態の中子体を示す断面図であり、図１１は、図１０におけるＸＩ−ＸＩ線による断面図であり、図１２は、図１０の中子体の使用状態を示す断面図である。図１０及び図１１において、第２の変形形態の中子体２Ｂは、細長い中空円筒状の中子本体６Ｂを備え、この中子本体６Ｂの半径方向内側に内細管５０が取り付けられている。中子本体６Ｂは例えば軟質の合成樹脂、合成ゴムなどから形成され、幾分拡径及び縮径可能に形成されている。また、内細管５０は金属、硬質の合成樹脂などから形成され、その中央部に軸線方向に貫通する小孔５２（釣糸穴として機能する）が設けられている。内細管５０は、例えば中子本体２Ｂの一端側（図１０において上端側）から圧入により装着され、内細管５０の一端部が中子本体６Ｂの一端から軸線方向外方に突出している。
【００３９】
このような中子体２Ｂにおいて、移動リング１００（図２１及び図２２参照）が中子本体６Ｂの一端部に引っ掛かるおそれがある場合、図２に示す実施形態と同様に、中子本体６Ｂの一端部を、外径が一端に向けてテーパ状に小さくなるように研削するのが好ましい。このような中子体２Ｂでは、内細管５０を硬質の合成樹脂パイプから形成し、中子本体６Ｂをこの合成樹脂パイプの外径とほぼ等しい内径を有する中硬質の合成ゴムパイプから形成し、中硬質の合成ゴムパイプの内周面に硬質の合成樹脂パイプの外周面を接着剤により固着するようにして形成することができる。
【００４０】
この中子体２Ｂは、図１２に示すようにして釣糸１４に取り付けられる。図１２において、中子体２Ｂの内細管５０を下方に通過した直後の釣糸１４の下側部位に下釣糸粒５４が設けられ、また内細管５０を上方に通過した直後の釣糸１４の上側部位に上釣糸粒５６が設けられ、下釣糸粒５４及び上釣糸粒５６は釣糸１４自体を空結びすることによって形成される。下釣糸粒５４により中子体２Ｂの下方への相対的移動が阻止され、また上釣糸粒５６により中子体２Ｂの上方への相対的移動が阻止され、従って、中子体２Ｂは下釣糸粒５４及び上釣糸粒５６との間に確実に保持され、このようにすることによって、中子体２Ｂが固定的に取り付けられて移動しなくなり、中子体２Ｂと嵌合枠体４との嵌合が容易となる。
【００４１】
尚、第１の変形形態の中子体２Ａにおいては、弾性部材８Ａによって、釣糸１４との間の摩擦保持力を大きくすることができるので、例えば、図６に示すような弾性粒２４を省き、撚糸粒２６及び押圧粒２８をそれぞれ一つずつとしても充分な内部応力を得ることができる。また、第２の変形形態の中子体２Ｂにおいては、下釣糸粒５４及び上釣糸粒５６によって釣糸１４に固定的に設けられるので、弾性粒２４及び撚糸粒２６などを省くことができる。
【００４２】
第２の実施形態の釣具仕掛け
次に、図１３〜図１７を参照して、第２の実施形態の釣具仕掛けについて説明する。図１３は、第２の実施形態の釣具仕掛けを示す断面図であり、図１４は、図１３におけるＸＩＶ−ＸＩＶ線による断面図であり、図１５は、図１４の釣具仕掛けの中子体を示す断面図であり、図１６は、図１５におけるＸＶＩ−ＸＶＩ線による断面図であり、図１７は、釣糸に装着された撚糸粒及び押圧粒を示す図である。
【００４３】
図１３及び図１４において、第２の実施形態の釣具仕掛けは、中子体１０２と、この中子体１０２に着脱自在に取り付けられる嵌合枠体１０４とから構成される。図１５及び図１６も参照して、この中子体１０２は、中空円筒状の中子本体１０６と、この中子本体１０６の一端部に取り付けられた小径短管１０８とを備え、その基本的構成は図２及び図３に示す中子体２と実質上同一である。
【００４４】
この中子体１０２では、中子本体１０６の軸線方向中間部の外周面に位置決め突部１１１が設けられ、この例ではその外周面に環状に設けられている。中子本体１０６は例えば合成樹脂から形成され、位置決め突部１１１はこの中子本体１０６と一体的に成形により形成することができる。尚、位置決め突部１１１として汎用品のヘラ鮒釣用の合せクッション用の微小小径ゴムリングを用い、このゴムリングを接着剤で中子本体１０６の外周面に固着するようにしてもよい。
【００４５】
嵌合枠体１０４は、一端側（図１４において上端側）から中子体１０２を受け入れる筒状部１１５と、この筒状部１１５の他端部に設けられた鍔部１１７とを有し、環状の鍔部１１７が半径方向外方に延びている。嵌合枠体１０４は硬質の合成樹脂から形成され、その内径は中子本体１０６の外径よりも若干小さく、中子本体１０６は、その外周面が嵌合枠体１０４の筒状部１１５の内周面に擦れながら着脱自在に嵌合される。
【００４６】
中子体１０２は、図１３に示すように、嵌合枠体１０４の一端側から、その位置決め突部１１１が嵌合枠体１０４の一端（図１４において上端）に当接するように挿入され、このように位置決め突部１１１が嵌合枠体１０４に当接することによって、中子体１０２を嵌合枠体１０４に所定の位置関係で取り付けることができる。このような嵌合枠体１０４は、例えば、金属短管をプレス加工することによって形成することができ、例えば市販されているブラインドリベット外枠を用いることができる。
【００４７】
この中子体１０２は、例えば次のようにして釣糸１４に取り付けられる。図１３とともに図１７を参照して、第２の実施形態では、中子体１０２を取り付けるに際し、釣糸１４に撚糸粒１２６及び押圧粒１２８が取り付けられる。上述したと同様に、撚糸粒１２６は例えば絹糸、ナイロン糸などから形成され、押圧粒１２８は例えば金属管、合成樹脂管などから形成され、撚糸粒１２６が２個設けられている。撚糸粒１２６などを取り付けるには、上述したと同様に、例えば、押圧粒１２８に隣接する撚糸粒１２６の残り耳綿毛をわずかに押圧粒１２８の外周面に被せ、中子本体１０６の他端開口１３２から一対の撚糸粒１２６及び押圧粒１２８を順次強く挿入して固定する。かく挿入すると、図１３に示すように、押圧粒１２８を介して撚糸粒１２６が中子体１０２の小径短管１０８の内側端に圧接され、これら撚糸粒１２６及び押圧粒１２８は中子本体１０６に密封して内蔵される。従って、こようにしても、中子体１０２と釣糸１４との間に大きな摩擦保持力が生じ、そして撚糸粒１２６に残留した応力によってこの摩擦保持力が維持される。このとき、上述したと同様に、撚糸粒１２６は弾性的に作用するので、中子体１０２を移動させたとしても釣糸１４にカールなどが発生することがなく、また中子体１０２を上方に移動させたとしても、撚糸粒１２６などが中子本体１０６の他端開口１３２から露出することがない。
【００４８】
尚、図８及び図９に示す中子体２Ａ及び図１０〜図１２に示す中子体２Ｂへの嵌合枠体の装着については、上述したと同様に、中子本体６Ａ，６Ｂの外周面に位置決め突部を設け、嵌合枠体の一端をこの位置決め突部に当接させるようにすることができる。
【００４９】
中子体の他の変形形態
次に、図１８〜図２０を参照して、中子体の更に他の変形形態について説明する。この変形形態の中子体は、図１３〜図１６の中子体に代えて用いることができる。図１８及び図１９において、この中子体１０２Ａは、中空円筒状の中子本体１０６Ａと、中子本体１０６Ａの一端部に取り付けられた小径短管１０８Ａと、その他端部に取り付けられた挿入短管１５２とを備え、中子本体１０６Ａ及び小径短管１０８Ａに関する基本的構成は、図１３〜図１６に示す第２の実施形態のものと実質上同一である。挿入短管１５２は、例えば硬質の合成樹脂から形成され、例えば接着剤によって中子本体１０６Ａの内周面に固着される。
【００５０】
このような中子体１０２Ａにおいては、図１４と対比することによって理解される如く、中子本体１０６Ａの他端部（図１８において下端部）が位置決め突部として機能し、中子体１０２Ａの挿入短管１５２が一端側から嵌合枠体１０４内に、中子本体１０６Ａの他端が嵌合枠体１０４の一端に当接するまで挿入され、このように挿入することによって、中子本体１０６Ａを嵌合枠体１０４に対して所定の位置関係に着脱自在に取り付けることができる。
【００５１】
この中子体１０２Ａは、図２０に示すようにして釣糸１４に取り付けられる。即ち、中子本体１０６Ａの他端部に挿入短管１５２を取り付け、この状態で中子本体１０２Ａの一端側から他端側に釣糸１４を通し、釣糸１４に取り付けられた撚糸粒２６及び弾性粒２４を一端側から矢印１０５で示すように中子本体１０６Ａ内に挿入し、その後、図１の実施形態と同様に、中子本体１０６Ａの一端部に小径短管１０８Ａを例えば圧入し、この圧力部を接着することによって釣糸１４に取り付けることができ、この場合、小径短管１０８Ａは図１の実施形態における押圧粒２８と同様の機能の働きを有し、図７に示す取付方法よりも簡単に中子体１０２Ａを釣糸１４に取り付けることができる。
【００５２】
釣具仕掛けの使用態様
このような釣具仕掛け（図１４に示す第２の形態ものを適用して説明するが、第１の形態のものでも同様に適用することができる）は、図２１及び図２２に示すように用いることができる。図２１において、釣竿２０２から延びる釣糸１４の第１部分（所謂「道糸」と呼ばれる）の一端側はサルカン２０４に接続され、その他端側はリール装置（図示せず）に巻かれ、サルカン２０４に接続される第１部分にウキ２０６が取り付けられる。このサルカン２０４には釣糸１４の第２部分の一端側が接続され、その他端側は釣針２０８の頂部に接続され、この第２部分に移動リング１００及び釣具仕掛け２０７が取り付けられる。即ち、釣糸１４の第２部分は上方リング止め２１０のセンター穴を通り（この上方リング止め２１０はピンなどを用いてセンター穴に仮固定される）、移動リング１００内を通り、更に、相互に嵌合された中子体１０２の小孔１１０及び嵌合枠体１０４の内部空間１１２を通して釣針２０８に接続される。
【００５３】
図２２をも参照して、移動リング１００はリング状に形成され、この移動リング１００には短い釣糸２１２（所謂「連結糸」と呼ばれる）を介して餌用釣針２１４が取り付けられ、この餌用釣針２１４に釣魚、例えばイカ用の生身餌用活魚２１６、例えばアジが付けられる。生身餌用活魚２１６は餌用釣針２１４に付いた状態で泳ぐことができ、移動リング１００が上方リング止め２１０及び釣具仕掛け２０７の嵌合枠体１０４の鍔部１１７に当接する範囲内において上下に、また回転して自由に泳ぐことができる。
【００５４】
この移動リング１００を用いる場合、移動リング１００の内径は、中子体１０２の中子本体１０６の外径よりも大きく、また嵌合枠体１０４の筒状部１１５の外径よりも大きく、この嵌合枠体１０４の鍔部１１７の外径よりも小さく設定され、更に、上方リング止め２１０の外径よりも小さく設定され、このように設定することによって、移動リング１００は上方リング止め２１０と嵌合枠体１４の鍔部１１７との間の移動が許容される。この移動リング１００及び餌用釣針２１４などの構成については、特開２００２−２２３６８０号の明細書及び図面を参照されたい。
【００５５】
釣魚、例えばイカを釣るときには、餌用釣針２１４に生身餌用活魚２１６を付けて釣り場のポイントに投入する（このとき、釣具仕掛け２０７の中子体１０２と嵌合枠体１０４とは嵌合状態に保たれている）。そして、釣魚、例えばイカ２２０が活魚２１６に食い付くと、食い付いた活魚２１６を抱いて安全な所へと急速に移動しようとするので、移動リング１００が釣糸１４に沿って釣針２０８の方向に移動し、釣具仕掛け２０７の嵌合枠体１０４の鍔部１１７に係合する。ここで、釣竿２０２により合せを入れると、釣魚（例えばイカ）自体の重量及び釣魚の水中での抵抗によって、中子体１０２と嵌合枠体１０４との嵌合状態が瞬間的に解除され、この嵌合枠体１０４に対して釣針２０８が瞬間的に上昇し、釣魚、例えばイカを釣針２０８に掛けることができる。
【００５６】
釣針の各種実施形態
釣針としては、図２３〜図２７に示すものを好都合に用いることができる。図２３は、第１実施形態の釣針を示す正面図であり、図２４は、図２３の釣針の針部を製作するときに用いる結束工具を示す断面図であり、図２５は、下段の針部を束ねる作業を説明する図であり、図２６は上段の針部を束ねる作業を説明する図であり、図２７は、心軸を有する針本体を示す図である。
【００５７】
図２３において、この釣針２０８は、針本体２５２と、この針本体２５２に接続された接続部２５４を備え、この接続部２５４が、例えば図２１の使用形態における釣糸１４の第２部分の下端部に接続される。図示の針本体２５２は、下段針部２５６、上段針部２５８及び心軸２６０を有し、心軸２６０の端部（図２３において上端部）が接続部２５４に後述するように接続される。
【００５８】
この釣針２０８は、例えば、次の通りにして製作することができる。下段針部２５６の一つの針２６２は、主にメバル針８〜１２号の耳を切断して使用し、釣魚、例えばイカを掛けるための鈎を有している。釣針２０８を製作するには、図２４で示す針部製作治具２６４を用いる。針部製作治具２６４は、中央部に軸線方向に延びる貫通孔２６６を有し、この貫通孔２６６の周囲に複数個、例えば６個の針収容部２６８が設けられている。釣針２０８を製作するには、まず、針製作治具２６４の貫通孔２６６を通して心軸２６０となる細い軸部材２７０を挿入し、そして、挿入した軸部材２７０の周囲の針収容部２６８に針２６２を挿入し、このようにして軸部材２７０の一端部に複数本、この形態では６本の針２６２を放射状に配置する。
【００５９】
次いで、図２５に示すように、軸部材２７０とその周囲に配置された針２６２とをこの状態を維持しながらこれらの重なり部分を毛細線２７２で巻き付けた後にこの部分を合金溶着し、その後、針製作治具２６４から外す。このように細線２７２で巻き付けて固定することによって合金溶着を容易に行うことができ、このようにして下段針部２５６を製作することができる。
【００６０】
次に、再度、軸部材２７０を針製作治具２６４の貫通孔２６６に所定位置まで挿入し、上述したと同様にして軸部材２７０の周囲に複数本、この形態では６本の針２６２を配置し、この状態を維持しながらこれらの重なり部分を毛細線２７２で巻き付けた後にこの部分を合金溶着し、その後、針製作治具２６４から外す。このようにして上段針部２５８を容易に製作することができる。
【００６１】
このようにして軸部材２７０（心軸２６０を構成する）に下段針部２５６及び上段針部２５８を取り付けることによって、図２７に示す針本体２５２を製作することができる。その後、軸部材２７０の一端部に接続部２５４を接続する。この接続は、単一の細い針金を任意の長さで２分して折り曲げ、手指により撚りを掛けて形成される頂部環２７４の直下の２線の接触部を合金溶着し、続いて針金全体に緩い撚りを掛ける。そして、接続部２５４の他端部の一対の自由端部間に軸部材２７０（心軸２６０）の一端部を位置付けて両自由端部間に挟持し、この挟持状態において、金属毛細線２７２の一部（下方巻き付け分）を残して、軸部材２７０を挟持する部位を、その軸線方向中央部から上方に向けて巻き、軸部材２７０の一端（図２３において上端）をわずかに過ぎて巻き締め、その後、かかる部位を合金溶着し、毛細線を２７２を切断する。このように毛細線２７２で巻締めて合金溶着することによって、比較的容易に且つ確実に固着することができる。
【００６２】
続いて、残した毛細線２７２を用いて上段針部２５８側に向けて巻き付け、巻き付けた部位を合金溶着し、毛細線２７２を切断する。このようにして図２３に示す釣針２０８を製作することができ、軸部材２７０と接続部２５４を確実に固着することができる。尚、軸部材２７０及び接続部２５４としての針金は、例えば、ステンレス鋼条線を好都合に用いることができる。
【００６３】
このような釣針２０８では、針本体２５２の軸部材２７０（心軸２６０）の一端（上端）をわずかに越えて毛細線２７２を巻き付けることが好ましく、このように構成することによって、瞬間貫通の際に発生する衝撃により軸部材２７０と接続部２５４とが剥離することが防止することができる。
【００６４】
釣魚がイカである場合、小型の３００ｇを超えるころから、図２１に示すように、下方リング止め２８２を設けるのが好ましい。この下方リング止め２８２は、その外径が移動リング１００の内径よりも大きく設定され、その中心貫通孔に釣針２０８の心軸２６０が挿通される。下方リング止め２８２は、例えば、プラスチック球から形成することができ、その直下を釣糸３号程度を心軸２６０に編み付けてコブを作ることによって取り付けられ、このようにすることによって、下方リング止め２８２の位置を上下方向に移動可能にすることができる。尚、下方リング止め２８２は、小型のイカ仕掛け組み付けには使用しないことがある。
【００６５】
このような釣針２０８は、更に、次の通りの特徴を有する。従来の釣針は、図２８に示す通りの構成を有しており、次の通りの問題がある。心軸の一端部に頂部環が設けられた形態の釣針で、頂部環の最小径のものとして、株式会社ささめ針から販売されているもの（商品名：のりのり天国誘導向う合わせ）がある。この釣針では、頂部環の外径が２．４ｍｍである。これを取り外し、内径３ｍｍのアルミニウム製の管を使った嵌合枠体の試験品を作り、これを使って実験した。以下、特に、心軸部分の動きについて説明する。
【００６６】
釣針３０２の心軸３０４の進入角度が嵌合枠体３０６の水平線と９０度の角度位置で進入する場合、環状管３０８が点Ｐにおいて嵌合枠体３０６に激しく衝突するようになる。また、水平線から例えば約４５度の角度位置３０４Ａで進入する場合においても、環状管３０８は点Ｑにおいて嵌合枠体３０６に衝突し、心軸３０４は矢印で示す方向に回動して角度位置３０４Ｂに一旦戻るようになる（心軸３０４が点Ｑをテコにして進むためである）。このような状態から更に進入して角度位置３０４Ｃになると、環状管３０８は嵌合枠体３０６の筒状部３１０の点Ｒで衝突するようになる（心軸３０４の下端部にある針部が水の抵抗を受けるからである）。このようなことから、嵌合枠体３０６の鍔部３１２の外径は、移動リング１００の掛かり余裕寸法Ｓを最小に抑えたとしても７ｍｍ程度となり、仕掛けの部品としては大き過ぎ、これ以上大きくはできない寸法となる。尚、図２８における符号Ｔは、水中の抵抗に相当する重りである。
【００６７】
実際の釣りにおいては、嵌合枠体３０４に進入する直前の心軸３０４の角度は、図２１に示す通りとなることが多く、従来の釣針の心軸構造（頂部環３０８を形成する構造）では、釣糸は合せ切れを起こすおそれがあり、合せ切れを起こさなくても心軸３０４が嵌合枠体３０６を貫通せずにイカが逃げるおそれがある。これを楕円形にしたとしても心軸３０４が直軸であるために、瞬間の合せ掛けには使用不適合である。
【００６８】
これに対して、上述した釣針２０８では、図２９に示すように、心軸２６０の進入角度が水平線から９０度の角度位置である場合、その頂部環２７４は既に点Ｐでの衝突を外れ、その後の進入での衝突も発生することがない（例えば、図２８における点Ｑ及び点Ｒに相当する点においても衝突は発生しない）。これは、接続部２５４の頂部環２７４の形状が舟底外郭線状で、頂部環２７４の径が小さく、また接続部２５４が釣糸と心軸２６０との間で弾性を有し、頂部環２７４が嵌合枠体３０６内に進入する際に中間弾性の連係機能として働くからである。図２９は、心軸２６０の上方の接続部２７４での湾曲状態を示し、接続部２５４が角度位置２６０Ｃとなるまで進むと、釣針２０８の心軸２５４が点Ｑをテコに下端部に結束された針部をはね上げ、釣魚、例えばイカに針掛かりさせるに良好な状態に動かす。
【００６９】
例えば、釣糸として２号のもの使用する場合を考えると、その直径は０．２３５ｍｍである。このような場合、これに対して鋭角とならない直径０．３ｍｍの単一線針金を用いることができ、この針金を二等分して折り曲げ、その一対の自由端部間に心軸２６０の上端部を挟持して固着して釣針２０８を製作すると、その頂部環２７４の外径は０．９ｍｍ程度となる。その結果、図２９に破線で示すように、嵌合枠体３０６の内径を例えば１．５ｍｍ程度まで小さくすることができ、従って、上述した釣針２０８を用いるようにすれば、嵌合枠体３０６の筒状部３１０をスリムにすることができる。
【００７０】
釣針は、図３０に示すように構成することもできる。釣針の他の形態を示す図３０において、この変形形態の釣針３５０では、複数個の針３５２からなる針部３５４に、単一の針金からなる接続部３５６が直接的に接続され、心軸（図２３における軸部材２７０）が省略されている。このような釣針３５０も、上述したと略同様に、単一の細長い針金を二等分して折り曲げ、手指により撚りを掛け、２線が変わった最初の接融点を合金溶着して頂部環３５６を形成し、その後、折り曲げた針金全体に緩い撚りを掛け、その他端部である一対の自由端部も合金溶着する。次いで、図２４に示す針部制作治具２６４を用い、接続部３５０の他端部（一対の自由端部）を針制作治具２６４の貫通孔２６６内に挿入し、挿入した他端部の周囲に複数本の針３５２を放射状に配置する。そして、接続部３５８の他端部と針部３５４を金属細線で巻いて合金溶着することによって製作される。このような釣針３５０においても、接続部３５８が弾性を有するので、上述したと同様の作用効果が達成される。尚、金属細線で巻くことなく、直接合金溶着するようにしてもよい。
【００７１】
以上、本発明に従う釣具仕掛け及び釣針の各種実施形態について説明したが、本発明はこれら実施形態に限定されず、本発明の範囲を逸脱することなく種々の変形乃至修正が可能である。
【００７２】
例えば、上述した釣具仕掛けでは、中子体を釣糸に取り付ける形態のものに適用して説明したが、これに限定されず、中子体を釣針の心軸に取り付ける形態のものにも同様に適用することができる。この場合、上述したと同様に、図６又は図１７に示すように弾性粒、撚糸粒、押圧粒などを用いて中子体を釣針の心軸に取り付けることができる。
【００７３】
各種実験
上述した釣具仕掛けの作用効果を確認するために、次の通りの実験を行った。次の試験品及び測定器具を製作し、この測定値に基づいて釣魚（例えば、イカ）用生身餌の遠投が可能で、合せの際に瞬間的に離脱が可能な釣具仕掛けの仕様を求めるとともに、各種製作した釣具仕掛けがこの仕様を満たすかを確認実験した。
【００７４】
振り込み負荷（生身餌を付けて水上振り込みする時に作用する負荷）を計測するために、図３１に示す振り込み負荷計測器４０２を用いた。この負荷計測器４０２は中空円筒状の計測器ハウジング４０４を備え、このハウジング４０４に軸線方向に延びるスリット４０６が設けられ、このスリット４０６に沿って記録用の白紙４０８が貼付される。計測器ハウジング４０４内には計測用コイルばね４１０が内蔵され、コイルばね４１０の一端部が計測器ハウジング４０４の一端部に固定された連結軸４１２に連結され、その他端部に釣糸４１４を介して餌用釣針４１６が取り付けられ、生身餌はこの餌用釣針４１６に付けられる。また、コイルばね４１０には取付部材を介して赤インクの綿玉４２０が取り付けられ、綿玉４２０がカーソル４２２によって計測器ハウジング４０４に沿って軸線方向に往復移動可能に支持されている。更に、連結軸４１２には、釣竿４２４に取り付けられたリール装置（図示せず）から延びる釣糸４２６が取り付けられる。
【００７５】
この振り込み負荷計測器４０４を用い、遠投時（水上振り込みの投入時）に釣糸４２６に作用する振り込み負荷を計測した。餌用釣針４１６に各種大きさの真アジを付け、遠投した時のコイルばね４１０の延びを赤インクの綿玉４２０で印を付けた。その後、ばね計りを用いてカーソル４２２を引っ張り、綿玉４２０で印が付いた位置まで移動させたときのばね計りの力を計測した。ばね計りによるこの計測値が振り込み負荷に相当する。遠投は河川の芝生上で行い、このときの天候は、晴れの無風であった。釣糸としてフロロカーボン２号を用いた。また、釣竿は大和精工株式会社製のＨＳリーガルＩＳＯ５．３〜１．５号、リール装置は株式会社シマノのアルテグラ４０００、ウキは自立３号を用い、遠投距離１６ｍ（＋３ｍ、−０ｍ）に設定した。生身餌として大きさが異なる３種類の真アジを用いた。真アジの大きさとその振り込み負荷との関係は、表１に示す通りであった。表１の振り込み負荷は、各真アジについて３回計測したときの最大振り込み負荷と最小振り込み負荷を示している。
【００７６】
【表１】
2004337147.tif 000003
次に、図３２に示すように、ばね計り４３２を用いて釣具仕掛け４３４の離隔点（中子体４３６と嵌合枠体２３８とが離隔するときの力）を計測した。釣具仕掛け４３４としては図１３〜図１６に示す形態のものを各種製作した。離隔点の計測は、図３２に示すように、釣具仕掛け４３４を取り付けた釣糸４４０の一端側を手指で持つとともに、移動リング１００を嵌合枠体４３８の鍔部４４２に係合させ、移動リング１００に取り付けられた糸４４４をばね計り４３２に取り付けて引っ張り、中子体４３６と嵌合枠体４３８が離脱したときの力を計測した。この計測値が、釣具仕掛けの離隔点であって、釣具仕掛け４３４の中子体４３６と嵌合枠体４３８との嵌合状態が解除される嵌合解除力に相当する。
【００７７】
嵌合枠体４３８の材質、嵌合枠体４３８の内径、中子体４３６の材質、両者の嵌合深度（嵌合長さ）が異なる各種釣具仕掛けを用い、計測に際して釣具仕掛け４３４を水に濡らした状態で計測した。各種釣具仕掛けと離隔点との関係は、表２に示す通りであった。表２の離隔点は、各釣具仕掛けについて４回計測したときの最大離隔点と最小離隔点を示している。尚、表２中の嵌合枠体材質欄及び中子体材質欄における「○」印は、使用した材質別を示している。
【００７８】
【表２】
2004337147.tif 000004
このような釣具仕掛けにおいては、遠投時（水上振り込み時）には中子体と嵌合枠体との嵌合状態が外れないようにする必要があり、この嵌合状態が外れると、遠投時に生身餌が釣針の方向に移動し、生身餌が釣針の針部に掛かり、所謂餌釣りになってしまう。このようなことから、振り込み負荷（換言すると、設定基準距離内の生身餌飛翔遠心重力）よりも釣具仕掛けの離隔点（換言すると、生身餌を係留し、嵌合枠体と嵌合してその嵌合状態を保持する中子体の嵌合保持力であって、この嵌合保持力の最大値が離隔点となる）の方が大きくなるようにすることが重要であり（説明を理解し易くするために、「第１の力バランス」という）、上述した各種釣具仕掛けＡ〜Ｈは、生身餌として適当な大きさのものを選定することによって、この第１の力バランスを満たすことが確認できた。
【００７９】
尚、中子体４３６と嵌合枠体４３８との離脱の際には、図３２で示すように、中子体４３６の端部と嵌合枠体４３８の筒状部との間にテコの作用が働き、このテコの作用によって、中子体４３６と嵌合枠体４３８との間の接触面に微妙な不均衡の力が発生し、このような力が、中子体４３６及び嵌合枠体４３８の離隔の際の緩やかさを生んでいる。
【００８０】
次いで、ばね計りを用いて釣具仕掛け４３４のスリップ点（釣糸に取り付けられた中子体が釣糸上を移動するときの力）を計測した。釣具仕掛けの中子体としては図２及び図３に示す形態のもの並びに図８及び図９に示す形態のものを製作し、中子体４３６に取り付ける際に、弾性粒、撚糸粒及び押圧粒を各種組み合せて取り付けた。スリップ点の計測は、水に濡らした中子体を左手親指と人差し指との間に挟み、釣糸輪をばね計りにかけて引き、釣糸に対して中子体を一度スリップさせ、続く二度目にスリップしたときの力を計測した。この計測値が中子体の釣糸に対するスリップ点に相当する。
【００８１】
中子体の各種取付様式と中子体のスリップ点との関係は、表３に示す通りであった。表３のスリップ点は、各取付様式について５回計測したときの最大スリップ点と最小スリップ点を示している。尚、表３中の弾性体欄における「○」印は、使用した中子体が弾性体を備えているか否かを示し（換言すると、「○」印が付されているのは、図８及び図９の中子体を用いたということであり、「○」印の付されていないのは、図２及び図３の中子体を用いたということである）、また釣糸締付け粒類欄における「○」印は、弾性粒、撚糸粒及び押圧粒を何個用いたかを示している（換言すると、「○」印が付されていないのは、用いていないということであり、「○」印が１個付されているものは、１個用いたということであり、「○」印が２個付されているものは、２個用いたということである。）
【表３】
2004337147.tif 000005
【００８２】
このような中子体を備えた釣具仕掛けにおいては、中子体が釣糸に対して相対的に移動する前に、中子体と嵌合枠体との嵌合状態が解除される必要があり、この嵌合状態が外れないと、後述する合せ時に釣糸に対して中子体及び嵌合枠体が一体的に移動し、釣具仕掛けとしての所望の機能が達成されなくなる。このようなことから、中子体のスリップ力（換言すると、釣糸に対して中子体を保持する摩擦保持力）は釣具仕掛けの離隔点（換言すると、生身餌を係留し、嵌合枠体と嵌合してその嵌合状態を保持する中子体の嵌合保持力であって、この嵌合保持力の最大値が、嵌合枠体と中子体との嵌合状態が解除される嵌合解除力となる）よりも大きくなるようにすることが重要であり（説明を理解し易くするために、「第２の力バランス」という）、上述した中子体の各種取付様式ｉ〜ｓは、中子体の形態、弾性粒、撚糸粒及び押圧粒を適当に組み合わせることによって、この第２の力バランスを満たすことが確認できた。
【００８３】
次に、ばね計りを用いて合せ力（釣竿を引いたときに釣糸に加えられる力）を計測した。この合せ力の計測は、上述した振り込み負荷の計測と同様に行ったが、この計測に際し、振り込み負荷よりも大きな力が作用するので、より強い引きばねを備えたばね計りを用いるとともに、釣竿をシマノ株式会社製のＤＸ２．５−５．３を用いた。イカの基準値をアオリイカとして計測を行った。疑似物体としてタオル布を用い、このタオル布をタコ糸で巻き締め、充分に水分を含ませて表体面積をほぼ揃えて計量し、体重別３段階のものを作り、これを直接釣糸に連結して水槽に沈めて合せを入れた。合せの上限は、リールドラッグをわずかに緩めて、音を出してスプールが釣糸をはき出したときの力を計測した。この計測値が釣竿を引いたときの合せ力に相当する。
【００８４】
疑似物体の重さ（疑似アオリイカ）の重さと合せ力との関係は、表４に示す通りであった。表４の合せ力は、各疑似物体について２回計測したときの最大合せ力を示している。
【００８５】
【表４】
2004337147.tif 000006
この釣具仕掛けを用いたときにおいては、合せ力を加えたときに中子体と嵌合枠体との嵌合状態が解除される必要があり、この嵌合状態が外れないと、合せを入れたときに釣具仕掛けの嵌合枠体が釣針の方向に相対的に移動せず、釣魚（例えばイカ）を釣ることができなくなる。加えて、この合せ力を加えたときに中子体が釣糸上を相対的に移動しないことが必要であり、相対的に移動すると、中子体及び嵌合枠体が一体的に移動し、釣具仕掛けとしての所望の機能が達成されなくなる。このようなことから、合せ力は中子体のスリップ力（換言すると、釣糸に対して中子体を保持する摩擦保持力）より小さく、且つ釣具仕掛けの離隔点（換言すると、嵌合枠体と中子体とを嵌合状態に保持する嵌合保持力であり、別の表現をすると嵌合枠体と中子体の嵌合状態を解除する嵌合解除力）よりも大きくなるようにすることが重要である（説明を理解し易くするために、「第３の力バランス」という）。尚、合せ力の計測の際にリールを緩めておくのは、この実験の釣具仕掛けの組付けでは瞬間的にもっと大きな力が作用して釣竿が折れる危険性があるからである。
【００８６】
合せ力と離隔点については、第３の力バランスが保たれる必要があるが、実際の釣りにおいては、合せ力が中子体と嵌合枠体との離隔点（嵌合解除力）を超えると、両者の嵌合状態が外れて離隔点を超える大きな合せ力が作用しないので、離隔点と合せ力とはほぼ同じ大きさとなる。
【００８７】
上述した振り込み負荷、離隔点（嵌合解除力）、スリップ力（摩擦保持力）及び合せ力による第１〜第３力バランスや釣現場での使用における安全巾などを考慮すると、表５に示す結果となる。
【００８８】
【表５】
2004337147.tif 000007
表５におけるスリム性欄及び構成良否欄における「◎」印は良好であり、「○」印は良であり、「△」印は一定の条件下において使用可能であり、「×」印は構成不可を示している。この表５にまとめた結果に基づき、生身餌（例えば活き小アジ）の大きさにより釣具仕掛けの形態を選択することによって、上述した所望の効果が達成され、釣魚を釣ることができる。
【００８９】
表５において、釣具仕掛けがスリム、シンプル、コンパクト性を有するものは、中子体の外径が１．５ｍｍ程度、嵌合枠体の外径が２．３ｍｍ程度、嵌合枠体の鍔部の外径が４．７ｍｍ程度、中子体と嵌合枠体との嵌合部の高さが１６ｍｍ程度、移動リングの外径が６．０ｍｍ程度である。
【００９０】
上述した実験結果を示す表１〜表５における計測値は、使用する材料、寸法、個数、嵌合面の態様、釣糸の太さ（号数）、取付様式などによって変化し、例えばその一つのパラメータを変えても計測値は変化し、実際の製作においてはそれらの組合せは無数となる。この実験では、生身餌に食い付いたイカを係留し、合せによって水中のイカに生じる水の抗力を利用し、中子体と嵌合枠体との瞬間的離隔が行われることを確認するために行ったものである。
【００９１】
釣り現場での適用
釣り現場で、図２及び図３に示す中子体（外径が約３．０ｍｍ）と、図４及び図５に示す嵌合枠体を用い、図１に示す通りに組み合わせた釣具仕掛けを用い、図２１で示す通りに適用してイカ釣りに用いた。この釣仕掛けはスリム性は劣るが、大型のイカには異物とならない。このような釣仕掛けでは、１８ｃｍ程度の活アジを遠投する南紀、四国瀬戸内、九州を代表とする大型のアオリイカの泳がせ釣りに好都合に用いることができる。
【００９２】
【発明の効果】
本発明の請求項１に記載の釣具仕掛けによれば、中子体と嵌合枠体との嵌合保持力が生身餌を水上振り込みする時の振り込み負荷よりも大きく設定されるので、生身餌を付けて投入しても中子体と嵌合枠体との嵌合状態が外れず、これによって、生身餌が釣針に掛かるのを確実に防止することができる。また、この嵌合保持力は釣竿により加えられる合せ力よりも小さく設定されるので、釣魚、例えばイカが生身餌に食い付いたときに釣竿を引くと、中子体と嵌合枠体との嵌合状態が解除され、中子体及び釣針が嵌合枠体に対して相対的に急上昇し、食い付いた釣魚を釣針にかけることができる。
【００９３】
また、本発明の請求項２に記載の釣具仕掛けによれば、中子体と釣糸との間の摩擦保持力が釣竿により加えられる嵌合解除力よりも大きく設定されているので、釣竿を引いて合せ力を加えると、中子体と嵌合枠体との嵌合状態が解除されるが、このとき、中子体が釣糸上を相対的に移動することがなく、中子体は取り付けた位置に保持される。
【００９４】
また、本発明の請求項３に記載の釣具仕掛けによれば、中子体の外周面に位置決め突部が設けられているので、中子体を嵌合枠体に嵌合する際に、中子体の位置決め突部を嵌合枠体の一端に当接させればよく、かく当接させて位置決めすることによって、中子体と嵌合枠体との嵌合状態を一定に保つことができる。
【００９５】
また、本発明の請求項４に記載の釣具仕掛けによれば、鍔短管の一端が位置決め突部として機能するので、中子体を嵌合枠体に嵌合する際に、中子体を鍔短管の一端に当接するように嵌合させればよく、このように当接させて位置決めすることによって、中子体と嵌合枠体との嵌合状態を一定に保つことができる。
【００９６】
また、本発明の請求項５に記載の釣具仕掛けによれば、釣糸に弾性粒及び／又は撚糸粒と押圧粒とが装着され、押圧粒により弾性粒及び／又は撚糸粒を中子本体内に挿入して小内径部に押圧することによって、中子体が釣糸に取り付けられるので、中子体と釣糸との間の摩擦保持力を充分なものとすることができ、この摩擦保持力を釣竿により加えられる合せ力よりも大きくすることができる。
【００９７】
また、本発明の請求項６に記載の釣具仕掛けによれば、釣糸に弾性粒及び／又は撚糸粒が装着され、弾性粒及び／又は撚糸粒を中子本体内に挿入し、小径短管を中子本体に取り付ける際に、この小径短管により弾性粒及び／又は撚糸粒を挿入短管に押圧することによって、中子体が釣糸に取り付けられるので、中子体と釣糸との間の摩擦保持力をより大きくて充分なものとすることができ、この摩擦保持力を釣竿により加えられる合せ力よりも大きくすることができる。
【００９８】
また、本発明の請求項７に記載の釣具仕掛けによれば、釣針の心軸に中子体が取り付けられ、中子体に嵌合枠体が着脱自在に取り付けられ、中子体と嵌合枠体との嵌合保持力は、生身餌を水上振り込みする時の振り込み負荷よりも大きく、且つ釣竿により加えられる合せ力よりも小さく設定されるので、生身餌を付けて投入する際には中子体と嵌合枠体との嵌合状態が外れることがなく、一方、釣魚が生身餌に食い付いたときに釣竿を引くと、中子体と嵌合枠体との嵌合状態が解除され、釣魚を釣針にかけることができる。
【００９９】
また、本発明の請求項８に記載の釣具仕掛けによれば、中子体が手指の力でもってスリップ移動可能に釣針の心軸に取り付けられているので、手指で力を加えることによって、釣針に対して中子体を移動させ、釣針に対する嵌合枠体の位置を調整することができる。また、中子体と釣針との間の摩擦保持力が嵌合枠体と中子体との嵌合解除力よりも大きく設定されているので、釣竿を引いて合せ力を加えると、中子体と嵌合枠体との嵌合状態が解除されるが、このとき、中子体が釣針に対して相対的に移動することがない。
【０１００】
また、本発明の請求項９及び請求項１０に記載の釣針によれば、釣糸に接続される接続部には、弾性を有する単一針金を折り曲げて頂部環が設けられるので、この接続部自体に弾性を持たせることができるとともに、この頂部環を小さくすることができる。
【図面の簡単な説明】
【図１】第１の実施形態の釣具仕掛けを示す断面図である。
【図２】図１の釣具仕掛けの中子体を示す断面図である。
【図３】図２におけるＩＩＩ−ＩＩＩ線による断面図である。
【図４】図１の釣具仕掛けの嵌合枠体を示す断面図である。
【図５】図４におけるＶ−Ｖ線による断面図である。
【図６】釣糸に装着された弾性粒、撚糸粒及び押圧粒を示す図である。
【図７】図２に示す中子体に弾性粒などを挿入する際の挿入方法を説明するための図である。
【図８】第１の変形形態の中子体を示す断面図である。
【図９】図８におけるＩＸ−ＩＸ線による断面図である。
【図１０】第２の変形形態の中子体を示す断面図である。
【図１１】図１０におけるＸＩ−ＸＩ線による断面図である。
【図１２】図１０の中子体の使用状態の例を示す断面図である。
【図１３】第２の実施形態の釣具仕掛けを示す断面図である。
【図１４】図１３におけるＸＩＶ−ＸＩＶ線による断面図である。
【図１５】図１３の釣具仕掛けの中子体を示す断面図である。
【図１６】図１５におけるＸＶＩ−ＸＶＩ線による断面図である。
【図１７】釣糸に装着された撚糸粒及び押圧粒を示す図である。
【図１８】中子体の更に他の変形形態を示す断面図である。
【図１９】図１８におけるＸＩＸ−ＸＩＸ線による断面図である。
【図２０】図１７の中子体の釣糸への取付方法を説明するための断面図である。
【図２１】釣り仕掛けを釣竿から延びる釣糸に取り付けた状態を示す簡略図である。
【図２２】図２１における移動リング及びこれに関連する構成を示す図である。
【図２３】第１実施形態の釣針を示す正面図である。
【図２４】図２３の釣針の針部を製作するとに用いる結束工具を示す断面図である。
【図２５】下段の針部を束ねる作業を説明する図である。
【図２６】上段の針部を束ねる作業を説明する図である。
【図２７】心軸を有する針本体を示す図である。
【図２８】従来の釣針の頂部環が嵌合枠体を通過するときの動きを説明するための部分拡大図である。
【図２９】実施形態の釣針の環状環が嵌合枠体を通過するときの動きを説明するための部分拡大断面図である。
【図３０】変形体の釣針を示す図である。
【図３１】振り込み負荷を計測するための計測方法を説明するための簡略図である。
【図３２】釣具仕掛けの離隔点を計測するための計測方法を説明するための簡略図である。
【符号の説明】
２，２Ａ，２Ｂ，１０２，１０２Ａ  中子体
４，１０４  嵌合枠体
６，６Ａ，６Ｂ，１０６，１０６Ａ  中子本体
１４  釣糸
１６  保持管
１８  鍔短管
２４  弾性粒
２６，１２６  撚糸粒
２８，１２８  押圧粒
１００  移動リング
２０２  釣竿
２０７  釣具仕掛け
２０８  釣針
２６０  心軸
【図１】
2004337147.tif 000008
【図２】
2004337147.tif 000009
【図３】
2004337147.tif 000010
【図４】
2004337147.tif 000011
【図５】
2004337147.tif 000012
【図６】
2004337147.tif 000013
【図７】
2004337147.tif 000014
【図８】
2004337147.tif 000015
【図９】
2004337147.tif 000016
【図１０】
2004337147.tif 000017
【図１１】
2004337147.tif 000018
【図１２】
2004337147.tif 000019
【図１３】
2004337147.tif 000020
【図１４】
2004337147.tif 000021
【図１５】
2004337147.tif 000022
【図１６】
2004337147.tif 000023
【図１７】
2004337147.tif 000024
【図１８】
2004337147.tif 000025
【図１９】
2004337147.tif 000026
【図２０】
2004337147.tif 000027
【図２１】
2004337147.tif 000028
【図２２】
2004337147.tif 000029
【図２３】
2004337147.tif 000030
【図２４】
2004337147.tif 000031
【図２５】
2004337147.tif 000032
【図２６】
2004337147.tif 000033
【図２７】
2004337147.tif 000034
【図２８】
2004337147.tif 000035
【図２９】
2004337147.tif 000036
【図３０】
2004337147.tif 000037
【図３１】
2004337147.tif 000038
【図３２】
2004337147.tif 000039